(57)【要約】【課題】  通行者に視認される画像が不鮮明になることと、製造コストが高くなることとの両方を抑えることができる自動ドアシステムを提供する。【解決手段】  自動ドアシステム１０は、開くことによって開口を形成するドア２１、２２と、ドア２１、２２が開いた場合にドア２１の延在方向に直交する方向においてドア２１の少なくとも一部に少なくとも一部が重なるフィックス３１と、画像を表示する表示面５１を備える表示デバイス５０と、フィックス３１に表示デバイス５０を固定する固定部７０とを備え、フィックス３１は、表示面５１に表示された画像を透過させる画像透過部３１ｅを備え、固定部７０は、表示面５１と、画像透過部３１ｅとの間を開閉可能に表示デバイス５０を支持することを特徴とする。【選択図】  図１
2019203263.tif 000002
【特許請求の範囲】
【請求項１】
開くことによって開口を形成するドアと、
前記ドアが開いた場合に前記ドアの延在方向に直交する方向において前記ドアの少なくとも一部に少なくとも一部が重なるフィックスと、
画像を表示する表示面を備える表示デバイスと、
前記ドアおよび前記フィックスの少なくとも一方に前記表示デバイスを固定する固定部と
を備え、
前記ドアおよび前記フィックスのうち、前記固定部によって前記表示デバイスが固定される方は、前記表示面に表示された画像を透過させる画像透過部を備え、
前記固定部は、前記表示面と、前記画像透過部との間を開閉可能に前記表示デバイスを支持することを特徴とする自動ドアシステム。
【請求項２】
前記固定部は、前記表示デバイスを特定の回転軸を中心に回転可能に支持することによって、前記表示面と、前記画像透過部との間を開閉可能にする回転支持部を備え、
前記回転軸は、鉛直方向に延在していることを特徴とする請求項１に記載の自動ドアシステム。
【請求項３】
前記固定部は、前記ドアが開いた状態である場合に前記ドアおよび前記フィックスの間に前記表示デバイスの少なくとも一部が配置される位置に、前記表示デバイスを前記フィックスに固定し、
前記回転軸は、水平方向における前記表示デバイスの両端のうち、前記表示面と、前記画像透過部との間が閉じている場合に前記開口から近い方の端と比較して、前記表示面と、前記画像透過部との間が閉じている場合に前記開口から遠い方の端に近い位置に配置されていることを特徴とする請求項２に記載の自動ドアシステム。
【請求項４】
前記ドアの開閉方向における前記ドアの移動を案内するレールと、
前記表示デバイスのための配線の一部と
を前記フィックスの上側に備え、
前記固定部は、前記表示デバイスを前記フィックスに固定し、
前記回転軸は、水平方向における前記表示デバイスの両端のうち、前記表示面と、前記画像透過部との間が閉じている場合に前記開口から近い方の端と比較して、前記表示面と、前記画像透過部との間が閉じている場合に前記開口から遠い方の端に近い位置に配置されていることを特徴とする請求項２に記載の自動ドアシステム。
【請求項５】
前記ドアは、閉じた状態の場合に、屋内と、屋外とを仕切り、
前記表示デバイスは、前記ドアおよび前記フィックスのうち、前記固定部によって前記表示デバイスが固定される方に対して、前記屋内側に配置されていることを特徴とする請求項１から請求項４までのいずれかに記載の自動ドアシステム。
【発明の詳細な説明】
【技術分野】
【０００１】
本発明は、表示デバイスを備える自動ドアシステムに関する。
【背景技術】
【０００２】
従来の自動ドアシステムとして、開くことによって開口を形成するドアと、ドアが開いた場合にドアの延在方向に直交する方向においてドアの少なくとも一部に少なくとも一部が重なるフィックスと、画像を表示する表示面を備える表示デバイスと、ドアおよびフィックスの少なくとも一方に表示デバイスを固定する固定部とを備えるものが知られている（例えば、特許文献１参照。）。
【先行技術文献】
【特許文献】
【０００３】
【特許文献１】特開２０１４−２３８００５号公報
【発明の概要】
【発明が解決しようとする課題】
【０００４】
しかしながら、従来の自動ドアシステムにおいては、ドアおよびフィックスのうち、固定部によって表示デバイスが固定される方が、表示デバイスの表示面に表示された画像を透過させる画像透過部を備える場合に、表示デバイスの表示面と、画像透過部との間の空間が密閉されていないとき、表示デバイスの表示面と、画像透過部との間の空間に、時間の経過に伴って、徐々に塵埃が入り込んで表示デバイスの表示面と、画像透過部との少なくとも一方が汚れるので、表示デバイスの表示面によって出力されて画像透過部を介して通行者に視認される画像が、表示デバイスの表示面と、画像透過部との少なくとも一方の汚れによって、不鮮明になるという問題がある。
【０００５】
一方、従来の自動ドアシステムは、表示デバイスの表示面と、画像透過部との間の空間に塵埃が入り込むことを防止するために、表示デバイスの表示面と、画像透過部とを接着させる加工が施される場合には、製造コストが高くなるという問題がある。
【０００６】
そこで、本発明は、通行者に視認される画像が不鮮明になることと、製造コストが高くなることとの両方を抑えることができる自動ドアシステムを提供することを目的とする。
【課題を解決するための手段】
【０００７】
本発明の自動ドアシステムは、開くことによって開口を形成するドアと、前記ドアが開いた場合に前記ドアの延在方向に直交する方向において前記ドアの少なくとも一部に少なくとも一部が重なるフィックスと、画像を表示する表示面を備える表示デバイスと、前記ドアおよび前記フィックスの少なくとも一方に前記表示デバイスを固定する固定部とを備え、前記ドアおよび前記フィックスのうち、前記固定部によって前記表示デバイスが固定される方は、前記表示面に表示された画像を透過させる画像透過部を備え、前記固定部は、前記表示面と、前記画像透過部との間を開閉可能に前記表示デバイスを支持することを特徴とする。
【０００８】
この構成により、本発明の自動ドアシステムは、表示デバイスの表示面と、画像透過部との間を開閉可能に固定部が表示デバイスを支持するので、表示デバイスの表示面と、画像透過部との間が開かれた状態で表示デバイスの表示面と、画像透過部との少なくとも一方が清掃されることが可能である。したがって、本発明の自動ドアシステムは、表示デバイスの表示面によって出力されて画像透過部を介して通行者に視認される画像が、表示デバイスの表示面と、画像透過部との少なくとも一方の汚れによって不鮮明になることを、表示デバイスの表示面と、画像透過部との少なくとも一方の清掃によって抑えることができる。また、本発明の自動ドアシステムは、表示デバイスの表示面と、画像透過部との間を開閉可能に固定部が表示デバイスを支持しており、表示デバイスの表示面と、画像透過部とを接着させる加工が施されないので、製造コストが高くなることを抑えることができる。
【０００９】
本発明の自動ドアシステムにおいて、前記固定部は、前記表示デバイスを特定の回転軸を中心に回転可能に支持することによって、前記表示面と、前記画像透過部との間を開閉可能にする回転支持部を備え、前記回転軸は、鉛直方向に延在していても良い。
【００１０】
この構成により、本発明の自動ドアシステムは、固定部による表示デバイスの回転軸が鉛直方向に延在しているので、表示デバイスの表示面と、画像透過部との間が開かれた状態で表示デバイスの表示面と、画像透過部との少なくとも一方が清掃される場合に、固定部による表示デバイスの回転軸が水平方向に延在している構成と比較して、清掃作業者による清掃作業の妨げになり難い位置に表示デバイスを移動させることができる。したがって、本発明の自動ドアシステムは、清掃作業者に楽な姿勢で清掃作業を行わせることができ、清掃作業者による清掃作業の作業効率を向上することができる。
【００１１】
本発明の自動ドアシステムにおいて、前記固定部は、前記ドアが開いた状態である場合に前記ドアおよび前記フィックスの間に前記表示デバイスの少なくとも一部が配置される位置に、前記表示デバイスを前記フィックスに固定し、前記回転軸は、水平方向における前記表示デバイスの両端のうち、前記表示面と、前記画像透過部との間が閉じている場合に前記開口から近い方の端と比較して、前記表示面と、前記画像透過部との間が閉じている場合に前記開口から遠い方の端に近い位置に配置されていても良い。
【００１２】
この構成により、本発明の自動ドアシステムは、水平方向における表示デバイスの両端のうち、表示面と、画像透過部との間が閉じている場合に開口から近い方の端と比較して、表示面と、画像透過部との間が閉じている場合に開口から遠い方の端に近い位置に、固定部による表示デバイスの回転軸が配置されているので、表示デバイスの表示面と、画像透過部との間が開かれた状態で表示デバイスの表示面と、画像透過部との少なくとも一方が清掃される場合に、ドアが開くことに対して表示デバイスが妨げになることを抑えることができる。したがって、本発明の自動ドアシステムは、表示デバイスの表示面と、画像透過部との間が開かれた状態で表示デバイスの表示面と、画像透過部との少なくとも一方が清掃されている最中にドアが開かれることができ、清掃作業者による清掃作業の作業効率を向上することができる。
【００１３】
本発明の自動ドアシステムは、前記ドアの開閉方向における前記ドアの移動を案内するレールと、前記表示デバイスのための配線の一部とを前記フィックスの上側に備え、前記固定部は、前記表示デバイスを前記フィックスに固定し、前記回転軸は、水平方向における前記表示デバイスの両端のうち、前記表示面と、前記画像透過部との間が閉じている場合に前記開口から近い方の端と比較して、前記表示面と、前記画像透過部との間が閉じている場合に前記開口から遠い方の端に近い位置に配置されていても良い。
【００１４】
この構成により、本発明の自動ドアシステムは、表示デバイスの両端のうち、表示面と、画像透過部との間が閉じている場合に開口から近い方の端と比較して、表示面と、画像透過部との間が閉じている場合に開口から遠い方の端に近い位置に、固定部による表示デバイスの回転軸が配置されているので、表示デバイスのための配線に対してレールが妨げになることを抑えることができる。したがって、本発明の自動ドアシステムは、製造を容易化することができる。
【００１５】
本発明の自動ドアシステムにおいて、前記ドアは、閉じた状態の場合に、屋内と、屋外とを仕切り、前記表示デバイスは、前記ドアおよび前記フィックスのうち、前記固定部によって前記表示デバイスが固定される方に対して、前記屋内側に配置されていても良い。
【００１６】
この構成により、本発明の自動ドアシステムは、表示デバイスの表示面と、画像透過部との間の空間が屋内に配置されているので、表示デバイスの表示面と、画像透過部との間の空間が屋外に配置されている構成と比較して、表示デバイスの表示面と、画像透過部との間の空間に塵埃が入り込むことを抑えることができる。したがって、本発明の自動ドアシステムは、表示デバイスの表示面によって出力されて画像透過部を介して通行者に視認される画像が、表示デバイスの表示面と、画像透過部との少なくとも一方の汚れによって不鮮明になることを、抑えることができる。
【発明の効果】
【００１７】
本発明の自動ドアシステムは、通行者に視認される画像が不鮮明になることと、製造コストが高くなることとの両方を抑えることができる。
【図面の簡単な説明】
【００１８】
【図１】ドアが閉じている状態での、本発明の一実施の形態に係る自動ドアシステムの正面図である。
【図２】ドアが開いている状態での、図１に示す自動ドアシステムの正面図である。
【図３】ドアが閉じている状態での、図１に示す自動ドアシステムの背面図である。
【図４】ドアが閉じている状態での、図１に示す自動ドアシステムの一部の側面断面図である。
【図５】ドアが閉じていて、表示デバイスの表示面と、フィックスの画像透過部との間も閉じている状態での、図１に示す自動ドアシステムの一部の上面断面図である。
【図６】ドアが閉じていて、表示デバイスの表示面と、フィックスの画像透過部との間が開いている状態での、図１に示す自動ドアシステムの一部の上面断面図である。
【図７】（ａ）平面ハンドルがフィックスの縦フレームに対して表示デバイスを固定している状態での、図３に示す平面ハンドルの近傍の背面図である。  （ｂ）図７（ａ）に示す状態での平面ハンドルの近傍の側面断面図である。  （ｃ）図７（ａ）に示す状態での平面ハンドルの近傍の上面断面図である。
【図８】（ａ）平面ハンドルがフィックスの縦フレームに対して表示デバイスを固定していない状態での、図３に示す平面ハンドルの近傍の背面図である。  （ｂ）図８（ａ）に示す状態での平面ハンドルの近傍の側面断面図である。  （ｃ）図８（ａ）に示す状態での平面ハンドルの近傍の上面断面図である。
【図９】表示デバイスの表示面と、フィックスの画像透過部との間が開かれている場合に屋内側から観察したときの、図１に示す自動ドアシステムの外観斜視図である。
【図１０】ドアが閉じている状態での、図３に示す構成とは異なる構成での自動ドアシステムの背面図である。
【図１１】（ａ）ドアが閉じている状態での、図３および図１０に示す構成とは異なる構成での自動ドアシステムの背面図である。  （ｂ）ドアが閉じている状態での、図３、図１０および図１１（ａ）に示す構成とは異なる構成での自動ドアシステムの背面図である。
【図１２】ドアが閉じていて、表示デバイスの表示面と、フィックスの画像透過部との間も閉じている状態での、図５に示す構成とは異なる構成での自動ドアシステムの一部の上面断面図である。
【発明を実施するための形態】
【００１９】
以下、本発明の一実施の形態について、図面を用いて説明する。
【００２０】
まず、本実施の形態に係る自動ドアシステムの構成について説明する。
【００２１】
図１は、ドア２１、２２が閉じている状態での、本実施の形態に係る自動ドアシステム１０の正面図である。図２は、ドア２１、２２が開いている状態での自動ドアシステム１０の正面図である。図３は、ドア２１、２２が閉じている状態での自動ドアシステム１０の背面図である。図４は、ドア２１、２２が閉じている状態での自動ドアシステム１０の一部の側面断面図である。図５は、ドア２１、２２が閉じていて、表示デバイス５０の表示面５１と、フィックス３１の画像透過部３１ｅとの間も閉じている状態での自動ドアシステム１０の一部の上面断面図である。図６は、ドア２１、２２が閉じていて、表示デバイス５０の表示面５１と、フィックス３１の画像透過部３１ｅとの間が開いている状態での自動ドアシステム１０の一部の上面断面図である。
【００２２】
図１〜図６に示すように、自動ドアシステム１０は、開くことによって開口１０ａを形成する２枚のドア２１、２２と、ドア２１に隣接して建物に固定された壁部であるフィックス３１と、ドア２２に隣接して建物に固定された壁部であるフィックス３２とを備えている。ドア２１、２２およびフィックス３１、３２は、矢印１０ｂで示す鉛直方向と、水平方向のうち、ドア２１、２２の開閉方向である矢印１０ｃで示す方向との両方に直交する矢印１０ｄで示す方向に直交する方向に延在している。ドア２１、２２は、閉じた状態の場合に、屋内１０ｅと、屋外１０ｆとを仕切る。
【００２３】
ドア２１は、上側のフレームである上フレーム２１ａと、下側のフレームである下フレーム２１ｂと、開口１０ａ側、すなわち、戸先側で上下に延在しているフレームである戸先側縦フレーム２１ｃと、開口１０ａ側とは反対側、すなわち、戸尻側で上下に延在しているフレームである戸尻側縦フレーム２１ｄと、上フレーム２１ａ、下フレーム２１ｂ、戸先側縦フレーム２１ｃおよび戸尻側縦フレーム２１ｄによって囲まれた透明なガラス２１ｅとを備えている。
【００２４】
同様に、ドア２２は、上フレーム２２ａと、下フレーム２２ｂと、戸先側縦フレーム２２ｃと、戸尻側縦フレーム２２ｄと、透明なガラス２２ｅとを備えている。
【００２５】
フィックス３１は、ドア２１、２２が開いた場合にドア２１の延在方向に直交する方向、すなわち、矢印１０ｄで示す方向においてドア２１の少なくとも一部に少なくとも一部が重なる。フィックス３１は、下側のフレームである下フレーム３１ａと、開口１０ａ側で上下に延在しているフレームである縦フレーム３１ｂと、開口１０ａ側とは反対側で上下に延在しているフレームである縦フレーム３１ｃと、下フレーム３１ａ、縦フレーム３１ｂおよび縦フレーム３１ｃによって囲まれた透明なガラス３１ｄとを備えている。
【００２６】
下フレーム３１ａの内部には、例えば、表示デバイス５０のための機器が収納されている。例えば、下フレーム３１ａの内部には、表示デバイス５０のための電源と、表示デバイス５０に入力される画像信号を生成するコンピューターとが収納されている。
【００２７】
ガラス３１ｄは、表示デバイス５０の表示面５１に表示された画像を透過させる画像透過部３１ｅを備えている。
【００２８】
フィックス３２は、ドア２１、２２が開いた場合にドア２２の延在方向に直交する方向、すなわち、矢印１０ｄで示す方向においてドア２２の少なくとも一部に少なくとも一部が重なる。フィックス３２は、フィックス３１と同様に、下フレーム３２ａと、縦フレーム３２ｂと、縦フレーム３２ｃと、透明なガラス３２ｄとを備えている。
【００２９】
自動ドアシステム１０は、矢印１０ｂで示す鉛直方向においてドア２１、２２およびフィックス３１、３２の上部に配置されて建物に固定された箱体である無目４１と、無目４１の内部に収納されていて矢印１０ｃで示すドア２１、２２の開閉方向におけるドア２１、２２の移動を案内するレール４２と、無目４１の内部に収納されていてレール４２に沿ってドア２１、２２を移動させるモーターなどの駆動部４３と、無目４１の内部に収納されていて駆動部４３を制御する制御部４４と、屋外１０ｆ側で無目４１に固定されてドア２１、２２の周辺の物体の存在を検知するセンサー４５ａと、屋内１０ｅ側で無目４１に固定されてドア２１、２２の周辺の物体の存在を検知するセンサー４５ｂと、開口１０ａを通過する物体を検知する光電センサー４６とを備えている。
【００３０】
自動ドアシステム１０は、フィックス３１に対して屋内１０ｅ側に配置されていて画像を表示する表示デバイス５０と、表示デバイス５０のための配線６０と、フィックス３１に表示デバイス５０を固定する固定部７０とを備えている。
【００３１】
表示デバイス５０は、屋外１０ｆ側に画像を表示するための表示面５１と、屋内１０ｅ側に画像を表示するための表示面５２とを備えている。表示デバイス５０は、例えばＬＣＤ（Ｌｉｑｕｉｄ  Ｃｒｙｓｔａｌ  Ｄｉｓｐｌａｙ）によって構成されている。例えば、表示デバイス５０は、２ｃｍ程度の厚みであり、３０ｋｇ程度の重さである。
【００３２】
配線６０の一部は、無目４１の内部と、フィックス３１の縦フレーム３１ｃの内部とに収納されている。配線６０は、無目４１側から縦フレーム３１ｃの内部を通ってフィックス３１の下フレーム３１ａの内部の機器まで配置されているとともに、下フレーム３１ａの内部の機器から縦フレーム３１ｃの内部を通って表示デバイス５０まで配置されている。
【００３３】
固定部７０は、図２に示すようにドア２１、２２が開いた状態である場合にドア２１およびフィックス３１の間に表示デバイス５０の少なくとも一部が配置される位置に、表示デバイス５０をフィックス３１に固定している。
【００３４】
固定部７０は、矢印１０ｂで示す鉛直方向に延在している軸部材７１ａを有していてフィックス３１の縦フレーム３１ｃに固定されたフィックス側固定部７１と、矢印１０ｂで示す鉛直方向に延在している軸部材７２ａを有していてフィックス３１の縦フレーム３１ｃに固定されたフィックス側固定部７２と、表示デバイス５０の表示面５１、５２にそれぞれ対応して設けられた穴７３ａ、７３ｂが形成されて表示デバイス５０を固定する表示デバイス側固定部７３とを備えている。表示デバイス側固定部７３は、軸部材７１ａ、７２ａをそれぞれ支持する軸受部７３ｃ、７３ｄを備えている。軸部材７１ａ、７２ａおよび軸受部７３ｃ、７３ｄは、表示デバイス５０を回転軸７０ａを中心に回転可能に支持することによって、表示デバイス５０の表示面５１と、フィックス３１の画像透過部３１ｅとの間を開閉可能にする回転支持部を構成している。回転軸７０ａは、矢印１０ｂで示す鉛直方向に延在している。回転軸７０ａは、水平方向における表示デバイス５０の両端のうち、表示デバイス５０の表示面５１と、フィックス３１の画像透過部３１ｅとの間が閉じている場合に開口１０ａから近い方の端５０ａと比較して、表示デバイス５０の表示面５１と、フィックス３１の画像透過部３１ｅとの間が閉じている場合に開口１０ａから遠い方の端５０ｂに近い位置に配置されている。
【００３５】
固定部７０は、表示デバイス５０の端５０ａ側において表示デバイス側固定部７３に平面ハンドル７５を備えている。
【００３６】
図７（ａ）は、平面ハンドル７５がフィックス３１の縦フレーム３１ｂに対して表示デバイス５０を固定している状態での平面ハンドル７５の近傍の背面図である。図７（ｂ）は、図７（ａ）に示す状態での平面ハンドル７５の近傍の側面断面図である。図７（ｃ）は、図７（ａ）に示す状態での平面ハンドル７５の近傍の上面断面図である。図８（ａ）は、平面ハンドル７５がフィックス３１の縦フレーム３１ｂに対して表示デバイス５０を固定していない状態での平面ハンドル７５の近傍の背面図である。図８（ｂ）は、図８（ａ）に示す状態での平面ハンドル７５の近傍の側面断面図である。図８（ｃ）は、図８（ａ）に示す状態での平面ハンドル７５の近傍の上面断面図である。
【００３７】
図７および図８に示すように、平面ハンドル７５は、利用者によって掴まれるためのハンドル部７５ａと、フィックス３１の縦フレーム３１ｂの図示していない穴に挿入されることによってフィックス３１の縦フレーム３１ｂに対して表示デバイス５０を固定する止め金７５ｂと、ハンドル部７５ａを固定するための鍵穴７５ｃとを備えている。図７および図８に示すように、平面ハンドル７５は、矢印７５ｄで示す方向におけるハンドル部７５ａの角度に応じて、矢印７５ｅで示す方向における止め金７５ｂの角度を定める、図示していない機構を有している。ハンドル部７５ａは、図７に示す角度である場合に、図示していない鍵が鍵穴７５ｃに差し込まれて回転させられることによって矢印７５ｄで示す方向における角度が固定されることが可能である。
【００３８】
次に、ドア２１、２２が開閉する場合の自動ドアシステム１０の動作について説明する。
【００３９】
制御部４４は、物体の存在を検知したことを示す信号をセンサー４５ａまたはセンサー４５ｂから受信した場合に、ドア２１、２２が完全に開いている状態ではないとき、レール４２に沿ってドア２１、２２を駆動部４３によって移動させることによって、ドア２１、２２を開く。
【００４０】
そして、制御部４４は、ドア２１、２２を開いた後、物体の存在を検知したことを示す信号をセンサー４５ａ、センサー４５ｂまたは光電センサー４６から受信している場合に、駆動部４３を制御することによって、ドア２１、２２を開き続ける。
【００４１】
一方、制御部４４は、物体の存在を検知したことを示す信号をセンサー４５ａ、センサー４５ｂまたは光電センサー４６から受信しなくなってから特定の時間が経過した場合に、ドア２１、２２が完全に閉じている状態ではないとき、レール４２に沿ってドア２１、２２を駆動部４３によって移動させることによって、ドア２１、２２を閉める。
【００４２】
次に、表示デバイス５０による表示を実行する場合の自動ドアシステム１０の動作について説明する。
【００４３】
下フレーム３１ａの内部のコンピューターは、画像信号を配線６０を介して表示デバイス５０に送信することができる。表示デバイス５０は、画像信号を受信すると、受信した画像信号に応じた画像を表示面５１、５２に表示する。なお、表示デバイス５０は、表示面５１と、表示面５２とに同一の画像を表示することもできるし、表示面５１と、表示面５２とに異なる画像を表示することもできる。例えば、自動ドアシステム１０は、通常時には、表示面５１と、表示面５２との両方に広告画像を表示し、災害時には、下フレーム３１ａの内部のコンピューターが災害の発生の通知を、外部の防災センターから受信することによって、開口１０ａが非常口であることを示す画像を表示面５２のみに表示しても良い。
【００４４】
次に、表示デバイス５０の表示面５１と、フィックス３１の画像透過部３１ｅとの清掃方法について説明する。
【００４５】
自動ドアシステム１０においては、ドア２１、２２が開閉したり、通行人が開口１０ａを通行したりするので、周囲の空気中に塵埃が発生し易い。また、一般的にガラスは完全な平坦ではないので、表示デバイス５０の表示面５１と、フィックス３１の画像透過部３１ｅとの間が閉じていたとしても、表示デバイス５０の表示面５１と、フィックス３１の画像透過部３１ｅとの間には、隙間が生じ易い。更に、表示デバイス５０の表示面５１による画像の表示によって表示面５１に発生する熱によって、表示デバイス５０の表示面５１と、フィックス３１の画像透過部３１ｅとの間の空間には、空気の対流が生じる。したがって、表示デバイス５０の表示面５１と、フィックス３１の画像透過部３１ｅとの間の空間に塵埃が入り込んで表示デバイス５０の表示面５１と、フィックス３１の画像透過部３１ｅとの少なくとも一方が汚れる可能性がある。
【００４６】
清掃作業者は、図１〜図５に示すように表示デバイス５０の表示面５１と、フィックス３１の画像透過部３１ｅとの間が閉じている場合に、駆動部４３および制御部４４の少なくとも一方への電力の供給を停止する。自動ドアシステム１０は、駆動部４３および制御部４４の少なくとも一方への電力の供給が停止されると、自動でドア２１、２２を開閉することができなくなる。
【００４７】
なお、清掃作業者は、図１、図３、図４および図５に示すようにドア２１、２２が閉じている状態で、駆動部４３および制御部４４の少なくとも一方への電力の供給を停止することが好ましい。しかしながら、清掃作業者は、ドア２１、２２が開いている状態で駆動部４３および制御部４４の少なくとも一方への電力の供給を停止した場合には、手動でドア２１、２２を閉じることが可能である。
【００４８】
清掃作業者は、駆動部４３および制御部４４の少なくとも一方への電力の供給を停止した後、図１、図３、図４および図５に示すようにドア２１、２２が閉じている場合に、平面ハンドル７５を図７に示す状態から図８に示す状態に変更することによって、表示デバイス５０を回転軸７０ａを中心に回転可能にする。
【００４９】
図９は、表示デバイス５０の表示面５１と、フィックス３１の画像透過部３１ｅとの間が開かれている場合に屋内１０ｅ側から観察したときの自動ドアシステム１０の外観斜視図である。
【００５０】
清掃作業者は、平面ハンドル７５を図８に示す状態にした後、表示デバイス５０を回転軸７０ａを中心に回転させることによって、図６および図９に示すように、表示デバイス５０の表示面５１と、フィックス３１の画像透過部３１ｅとの間を開く。
【００５１】
そして、清掃作業者は、表示デバイス５０の表示面５１と、フィックス３１の画像透過部３１ｅとの間が開かれている状態で、表示デバイス５０の表示面５１と、フィックス３１の画像透過部３１ｅの屋内１０ｅ側の面とに付着している塵埃を拭き取るなど、表示デバイス５０の表示面５１と、フィックス３１の画像透過部３１ｅとを清掃する。
【００５２】
なお、清掃作業者は、表示デバイス５０の表示面５１と、フィックス３１の画像透過部３１ｅとの間が開かれている状態で、手動でドア２１、２２を開けることによって、開口１０ａを介して屋外１０ｆ側に出ることが可能であり、屋外１０ｆ側に出た後、フィックス３１の画像透過部３１ｅの屋外１０ｆ側の面を清掃することも可能である。
【００５３】
清掃作業者は、表示デバイス５０の表示面５１と、フィックス３１の画像透過部３１ｅとの清掃が終了すると、ドア２１、２２が開いている場合にはドア２１、２２を手動で閉じる。そして、清掃作業者は、表示デバイス５０を回転軸７０ａを中心に回転させることによって、図１、図３、図４および図５に示すように、表示デバイス５０の表示面５１と、フィックス３１の画像透過部３１ｅとの間を閉じる。
【００５４】
清掃作業者は、表示デバイス５０の表示面５１と、フィックス３１の画像透過部３１ｅとの間を閉じた後、平面ハンドル７５を図８に示す状態から図７に示す状態に変更することによって、表示デバイス５０をフィックス３１の縦フレーム３１ｂに対して固定する。
【００５５】
最後に、清掃作業者は、駆動部４３および制御部４４の両方への電力の供給を開始する。自動ドアシステム１０は、駆動部４３および制御部４４の両方への電力の供給が開始されると、自動でドア２１、２２を開閉することができるようになる。
【００５６】
以上に説明したように、自動ドアシステム１０は、表示デバイス５０の表示面５１と、フィックス３１の画像透過部３１ｅとの間を開閉可能に固定部７０が表示デバイス５０を支持するので、表示デバイス５０の表示面５１と、フィックス３１の画像透過部３１ｅとの間が開かれた状態で表示デバイス５０の表示面５１と、フィックス３１の画像透過部３１ｅとが清掃されることが可能である。したがって、自動ドアシステム１０は、表示デバイス５０の表示面５１によって出力されてフィックス３１の画像透過部３１ｅを介して通行者に視認される画像が、表示デバイス５０の表示面５１と、フィックス３１の画像透過部３１ｅとの汚れによって不鮮明になることを、表示デバイス５０の表示面５１と、フィックス３１の画像透過部３１ｅとの清掃によって抑えることができる。
【００５７】
自動ドアシステム１０は、表示デバイス５０の表示面５１と、フィックス３１の画像透過部３１ｅとの間を開閉可能に固定部７０が表示デバイス５０を支持しており、表示デバイス５０の表示面５１と、フィックス３１の画像透過部３１ｅとを接着させる加工が施されないので、製造コストが高くなることを抑えることができる。
【００５８】
なお、表示デバイスの表示面と、フィックスの画像透過部とを接着させる加工が施される場合には、フィックスの画像透過部が割れたときに、この画像透過部に接着されている、表示デバイスの表示面も一緒に割れてしまう可能性が高い。しかしながら、自動ドアシステム１０は、表示デバイス５０の表示面５１と、フィックス３１の画像透過部３１ｅとを接着させる加工が施されないので、画像透過部３１ｅの割れに伴った表示面５１の割れの発生を抑えることができる。
【００５９】
自動ドアシステム１０は、表示デバイス５０の端５０ａと比較して端５０ｂに近い位置に回転軸７０ａが配置されているので、表示デバイス５０の表示面５１と、フィックス３１の画像透過部３１ｅとの間が開かれた状態で表示デバイス５０の表示面５１と、フィックス３１の画像透過部３１ｅとの少なくとも一方が清掃される場合に、ドア２１が開くことに対して表示デバイス５０が妨げになることを抑えることができる。したがって、自動ドアシステム１０は、表示デバイス５０の表示面５１と、フィックス３１の画像透過部３１ｅとの間が開かれた状態で表示デバイス５０の表示面５１と、フィックス３１の画像透過部３１ｅとの少なくとも一方が清掃されている最中にドア２１が開かれることができ、清掃作業者による清掃作業の作業効率を向上することができる。
【００６０】
自動ドアシステム１０は、表示デバイス５０の端５０ａと比較して端５０ｂに近い位置に回転軸７０ａが配置されているので、表示デバイス５０のための配線６０に対してレール４２が妨げになることを抑えることができる。したがって、自動ドアシステム１０は、製造を容易化することができる。
【００６１】
なお、自動ドアシステム１０は、図１０に示すように、固定部７０による表示デバイス５０の回転軸７０ａが表示デバイス５０の端５０ｂと比較して端５０ａに近い位置に配置されていても良い。図１０は、ドア２１、２２が閉じている状態での、図３に示す構成とは異なる構成での自動ドアシステム１０の背面図である。
【００６２】
自動ドアシステム１０は、固定部７０による表示デバイス５０の回転軸７０ａが矢印１０ｂで示す鉛直方向に延在しているので、表示デバイス５０の表示面５１と、フィックス３１の画像透過部３１ｅとの間が開かれた状態で表示デバイス５０の表示面５１と、フィックス３１の画像透過部３１ｅとの少なくとも一方が清掃される場合に、固定部７０による表示デバイス５０の回転軸７０ａが矢印１０ｃで示す水平方向に延在している構成と比較して、清掃作業者による清掃作業の妨げになり難い位置に表示デバイス５０を移動させることができる。したがって、自動ドアシステム１０は、清掃作業者に楽な姿勢で清掃作業を行わせることができ、清掃作業者による清掃作業の作業効率を向上することができる。
【００６３】
なお、自動ドアシステム１０は、固定部７０による表示デバイス５０の回転軸７０ａが矢印１０ｃで示す水平方向に延在していても良い。例えば、自動ドアシステム１０は、図１１（ａ）に示すように表示デバイス５０の上端５０ｃに近い位置に回転軸７０ａが配置されていても良いし、図１１（ｂ）に示すように表示デバイス５０の下端５０ｄに近い位置に回転軸７０ａが配置されていても良い。図１１（ａ）は、ドア２１、２２が閉じている状態での、図３および図１０に示す構成とは異なる構成での自動ドアシステム１０の背面図である。図１１（ｂ）は、ドア２１、２２が閉じている状態での、図３、図１０および図１１（ａ）に示す構成とは異なる構成での自動ドアシステム１０の背面図である。
【００６４】
自動ドアシステム１０は、図１１（ａ）に示すように表示デバイス５０の上端５０ｃに近い位置に回転軸７０ａが配置されている場合、表示デバイス５０の表示面５１と、フィックス３１の画像透過部３１ｅとの間が開かれた状態で表示デバイス５０の表示面５１と、フィックス３１の画像透過部３１ｅとの少なくとも一方が清掃されるとき、表示デバイス５０の重さによって表示デバイス５０が回転軸７０ａを中心に回転して表示デバイス５０の表示面５１と、フィックス３１の画像透過部３１ｅとの間が閉じてしまわないように、重い表示デバイス５０を支える機構を別途設けるか、清掃作業中の間、重い表示デバイス５０を清掃作業者に支えさせる必要がある。
【００６５】
自動ドアシステム１０は、表示デバイス５０の表示面５１と、フィックス３１の画像透過部３１ｅとの間の空間が屋内１０ｅに配置されているので、表示デバイス５０の表示面５１と、フィックス３１の画像透過部３１ｅとの間の空間が屋外１０ｆに配置されている構成と比較して、表示デバイス５０の表示面５１と、フィックス３１の画像透過部３１ｅとの間の空間に塵埃が入り込むことを抑えることができる。したがって、自動ドアシステム１０は、表示デバイス５０の表示面５１によって出力されてフィックス３１の画像透過部３１ｅを介して通行者に視認される画像が、表示デバイス５０の表示面５１と、フィックス３１の画像透過部３１ｅとの汚れによって不鮮明になることを、抑えることができる。
【００６６】
なお、自動ドアシステム１０は、図１２に示すように、表示デバイス５０が固定部７０によってフィックス３１の屋外１０ｆ側に固定されることによって、表示デバイス５０の表示面５２と、フィックス３１の画像透過部３１ｅとの間の空間が屋外１０ｆに配置されても良い。図１２は、ドア２１、２２が閉じていて、表示デバイス５０の表示面５２と、フィックス３１の画像透過部３１ｅとの間も閉じている状態での、図５に示す構成とは異なる構成での自動ドアシステム１０の一部の上面断面図である。
【００６７】
自動ドアシステム１０は、本実施の形態において、表示デバイス５０および固定部７０がフィックス３１に設けられている。しかしながら、自動ドアシステム１０は、表示デバイスおよび固定部が、フィックス３１に代えて、または、フィックス３１に加えて、フィックス３２に設けられても良い。
【００６８】
自動ドアシステム１０は、本実施の形態において、表示デバイス５０および固定部７０がフィックス３１に設けられている。しかしながら、自動ドアシステム１０は、表示デバイスおよび固定部が、フィックスに代えて、または、フィックスに加えて、ドア２１およびドア２２の少なくとも一方に設けられても良い。
【００６９】
自動ドアシステムの点検口は、通常、無目の屋内側に設けられている。そして、自動ドアシステムは、通常、点検口のカバーが外されることによってドアが取り外されることが可能になっている。点検口のカバーが外されることによってドアが取り外されることが可能になっているので、自動ドアシステムにおいて、ドアは、通常、フィックスに対して屋内側に配置されている。本実施の形態に係る自動ドアシステム１０においても、ドア２１、２２は、フィックス３１、３２に対して屋内１０ｅ側に配置されている。しかしながら、ドア２１、２２は、フィックス３１、３２に対して屋外１０ｆ側に配置されても良い。
【００７０】
自動ドアシステム１０は、本実施の形態において、表示デバイス５０のための電源と、表示デバイス５０に入力される画像信号を生成するコンピューターとが下フレーム３１ａの内部に収納されている。しかしながら、自動ドアシステム１０は、表示デバイス５０のための電源と、表示デバイス５０に入力される画像信号を生成するコンピューターとの少なくとも一方が表示デバイス５０に内蔵されても良いし、フィックス３１とは別の位置に設けられても良い。
【００７１】
自動ドアシステム１０は、本実施の形態において、表示デバイス５０が画像信号を配線６０を介して受信している。しかしながら、自動ドアシステム１０は、表示デバイス５０が画像信号を無線で受信しても良い。
【符号の説明】
【００７２】
１０  自動ドアシステム
１０ａ  開口
１０ｂ  矢印（鉛直方向を示す矢印）
１０ｃ  矢印（水平方向およびドアの開閉方向を示す矢印）
１０ｄ  矢印（ドアの延在方向に直交する方向を示す矢印）
１０ｅ  屋内
１０ｆ  屋外
２１、２２  ドア
３１  フィックス
３１ｅ  画像透過部
３２  フィックス
４２  レール
５０  表示デバイス
５０ａ  端（水平方向における表示デバイスの両端のうち、表示デバイスの表示面と、フィックスの画像透過部との間が閉じている場合に開口から近い方の端）
５０ｂ  端（水平方向における表示デバイスの両端のうち、表示デバイスの表示面と、フィックスの画像透過部との間が閉じている場合に開口から遠い方の端）
５１、５２  表示面
６０  配線
７０  固定部
７０ａ  回転軸
７１ａ、７２ａ  軸部材（回転支持部）
７３ｃ、７３ｄ  軸受部（回転支持部）
【図１】
2019203263.tif 000003
【図２】
2019203263.tif 000004
【図３】
2019203263.tif 000005
【図４】
2019203263.tif 000006
【図５】
2019203263.tif 000007
【図６】
2019203263.tif 000008
【図７】
2019203263.tif 000009
【図８】
2019203263.tif 000010
【図９】
2019203263.tif 000011
【図１０】
2019203263.tif 000012
【図１１】
2019203263.tif 000013
【図１２】
2019203263.tif 000014